(57)【要約】【課題】  タッチパネルを備えた表示装置を複数配置した表示システムにおいて、複数の表示装置の間に隙間があるため、操作上の不都合がある。【解決手段】  本発明の表示装置は、画像を表示する表示パネルと、タッチ操作されるタッチパネルと、前記タッチ操作を検出する操作検出部と、前記タッチパネルの入力操作座標を取得する座標取得部と、前記入力操作座標を情報処理装置に出力する制御部と、を有し、前記制御部は、前記操作検出部が前記タッチ操作を連続して検出した後に前記タッチ操作を検出しなくなった場合であり、かつ、前記操作検出部が前記タッチ操作を最後に検出した際の前記入力操作座標である最後の入力操作座標が予め定められた特定操作領域にある場合に、前記操作検出部が前記タッチ操作を検出しなくても前記最後の入力操作座標を前記情報処理装置に連続して出力する、連続出力動作を行う。【選択図】      図１
2016081386.tif 000002
【特許請求の範囲】
【請求項１】
画像を表示する表示パネルと、
前記表示パネルに近接して設けられ、タッチ操作されるタッチパネルと、
前記タッチ操作を検出する操作検出部と、
前記タッチ操作に基づいて、前記タッチパネルの入力操作座標を取得する座標取得部と、
前記操作検出部が前記タッチ操作を検出した場合に、前記入力操作座標を情報処理装置に出力する制御部と、を有し、
前記制御部は、
前記操作検出部が前記タッチ操作を連続して検出した後に前記タッチ操作を検出しなくなった場合であり、かつ、前記操作検出部が前記タッチ操作を最後に検出した際の前記入力操作座標である最後の入力操作座標が予め定められた特定操作領域にある場合に、前記操作検出部が前記タッチ操作を検出しなくても前記最後の入力操作座標を前記情報処理装置に連続して出力する、連続出力動作を行うことを特徴とする表示装置。
【請求項２】
前記制御部は、
他の表示装置がタッチ操作されたことを示す、操作情報を取得した場合に、又は、前記操作検出部が前記タッチ操作を検出した場合に、前記連続出力動作を停止することを特徴とする、請求項１に記載の表示装置。
【請求項３】
前記制御部は、
前記他の表示装置から通知信号を受信することにより、前記操作情報を取得することを特徴とする、請求項２に記載の表示装置。
【請求項４】
前記特定操作領域は、前記タッチパネルにおいて、隣接して配置される他の表示装置の側に設けられた領域であることを特徴とする、請求項１から３のいずれか１項に記載の表示装置。
【請求項５】
前記情報処理装置から画像信号を受信する入力部と、
前記画像信号に基づく画像を前記表示パネルに表示させる画像処理部と、
をさらに有することを特徴とする、請求項１から４のいずれか１項に記載の表示装置。
【請求項６】
第１の表示装置と、該第１の表示装置に隣接して配置された第２の表示装置と、を備えた表示システムであって、
前記第１の表示装置は、
画像を表示する第１の表示パネルと、
前記第１の表示パネルに近接して設けられ、タッチ操作される第１のタッチパネルと、
前記第１のタッチパネルへのタッチ操作である第１のタッチ操作を検出する第１の操作検出部と、
前記第１のタッチ操作に基づいて、前記第１のタッチパネルの入力操作座標である第１の入力操作座標を取得する第１の座標取得部と、
前記第１の操作検出部が前記第１のタッチ操作を検出した場合に、第１の操作情報を生成するとともに、前記第１の入力操作座標を情報処理装置に出力する第１の制御部と、を有し、
前記第２の表示装置は、
画像を表示する第２の表示パネルと、
前記第２の表示パネルに近接して設けられ、タッチ操作される第２のタッチパネルと、
前記第２のタッチパネルへのタッチ操作である第２のタッチ操作を検出する第２の操作検出部と、
前記第２のタッチ操作に基づいて、前記第２のタッチパネルの入力操作座標である第２の入力操作座標を取得する第２の座標取得部と、
前記第２の操作検出部が前記第２のタッチ操作を検出した場合に、第２の操作情報を生成するとともに、前記第２の入力操作座標を前記情報処理装置に出力する第２の制御部と、を有し、
前記第１の制御部は、
前記第１の操作検出部が前記第１のタッチ操作を連続して検出した後に前記第１のタッチ操作を検出しなくなった場合であり、かつ、前記第１の操作検出部が前記第１のタッチ操作を最後に検出した際の前記第１の入力操作座標である第１の最後の入力操作座標が予め定められた第１の特定操作領域にある場合に、前記第１の操作検出部が前記第１のタッチ操作を検出しなくても前記第１の最後の入力操作座標を前記情報処理装置に連続して出力する、第１の連続出力動作を行い、
前記第２の操作情報を取得した場合に、又は、前記第１の操作検出部が前記第１のタッチ操作を検出した場合に、前記第１の連続出力動作を停止することを特徴とする、表示システム。
【請求項７】
前記第２の制御部は、
前記第２の操作検出部が前記第２のタッチ操作を連続して検出した後に前記第２のタッチ操作を検出しなくなった場合であり、かつ、前記第２の操作検出部が前記第２のタッチ操作を最後に検出した際の前記第２の入力操作座標である第２の最後の入力操作座標が予め定められた第２の特定操作領域にある場合に、前記第２の操作検出部が前記タッチ操作を検出しなくても前記第２の最後の入力操作座標を前記情報処理装置に連続して出力する、第２の連続出力動作を行い、
前記第１の操作情報を取得した場合に、又は、前記第２の操作検出部が前記第２のタッチ操作を検出した場合に、前記第２の連続出力動作を停止することを特徴とする、請求項６に記載の表示システム。
【請求項８】
タッチパネルがタッチ操作される工程と、
前記タッチ操作を検出する工程と、
前記タッチ操作に基づいて、前記タッチパネルの入力操作座標を取得する工程と、
前記タッチ操作を検出した場合に、前記入力操作座標を出力する工程と、
前記タッチ操作を連続して検出した後に前記タッチ操作を検出しなくなった場合であり、かつ、前記タッチ操作を最後に検出した際の前記入力操作座標である最後の入力操作座標が予め定められた特定操作領域にある場合に、前記タッチ操作を検出しなくても前記最後の入力操作座標を連続して出力する工程と、
を有する出力方法。
【発明の詳細な説明】
【技術分野】
【０００１】
本発明は、表示装置、表示システム、出力方法に関する。
【背景技術】
【０００２】
近年、タッチパネルを備えた表示装置が普及している。また、複数の表示装置を隣接して配置し、多画面の表示システムを構成するケースが増加している。
【０００３】
タッチパネルを備えた表示装置を複数配置した表示システムにおいて、複数の表示装置を横断するようなタッチ操作をしたい場合がある。しかし、複数の表示装置の間には隙間があるため、複数の表示装置を横断するようなタッチ操作は、連続的な操作とならない。このため、例えば、複数の表示装置を横断するようにドラッグ操作を行う場合に、操作上の不都合が生じるという課題がある。
【０００４】
特許文献１に開示された情報処理装置においては、複数の表示装置を並べた状態で、表示装置間の結合部（繋ぎ目）にポインタが来た場合、次の表示装置の対応するポイントにポインタを表示させる。これにより、相互のポインタ移動を円滑に行えるようにすることが開示されている。
【先行技術文献】
【特許文献】
【０００５】
【特許文献１】特開２０００−２４２３９３
【発明の概要】
【発明が解決しようとする課題】
【０００６】
しかし、特許文献１に開示された情報処理装置は、ポインタの位置を正確に継続できるようにしたものに過ぎず、上述した課題を解決するものではない。
【０００７】
また、タッチパネルを備えた表示装置には、タッチ操作された位置に相当する座標をパーソナルコンピュータ等の情報処理装置に出力するような表示装置も存在する。このような表示装置を複数配置した表示システムにおいても、複数の表示装置の間には隙間があるため、上述した課題がある。
【０００８】
本発明の目的は、上述した課題を解決する表示装置、表示システム、出力方法を提供することにある。
【課題を解決するための手段】
【０００９】
上記目的を達成するため、本発明における表示装置は、画像を表示する表示パネルと、前記表示パネルに近接して設けられ、タッチ操作されるタッチパネルと、前記タッチ操作を検出する操作検出部と、前記タッチ操作に基づいて、前記タッチパネルの入力操作座標を取得する座標取得部と、前記操作検出部が前記タッチ操作を検出した場合に、前記入力操作座標を情報処理装置に出力する制御部と、を有し、前記制御部は、前記操作検出部が前記タッチ操作を連続して検出した後に前記タッチ操作を検出しなくなった場合であり、かつ、前記操作検出部が前記タッチ操作を最後に検出した際の前記入力操作座標である最後の入力操作座標が予め定められた特定操作領域にある場合に、前記操作検出部が前記タッチ操作を検出しなくても前記最後の入力操作座標を前記情報処理装置に連続して出力する、連続出力動作を行う。
【００１０】
上記目的を達成するため、本発明における表示システムは、第１の表示装置と、該第１の表示装置に隣接して配置された第２の表示装置と、を備え、前記第１の表示装置は、画像を表示する第１の表示パネルと、前記第１の表示パネルに近接して設けられ、タッチ操作される第１のタッチパネルと、前記第１のタッチパネルへのタッチ操作である第１のタッチ操作を検出する第１の操作検出部と、前記第１のタッチ操作に基づいて、前記第１のタッチパネルの入力操作座標である第１の入力操作座標を取得する第１の座標取得部と、前記第１の操作検出部が前記第１のタッチ操作を検出した場合に、第１の操作情報を前記第２の表示装置に出力するとともに、前記第１の入力操作座標を情報処理装置に出力する第１の制御部と、を有し、前記第２の表示装置は、画像を表示する第２の表示パネルと、前記第２の表示パネルに近接して設けられ、タッチ操作される第２のタッチパネルと、前記第２のタッチパネルへのタッチ操作である第２のタッチ操作を検出する第２の操作検出部と、前記第２のタッチ操作に基づいて、前記第２のタッチパネルの入力操作座標である第２の入力操作座標を取得する第２の座標取得部と、前記第２の操作検出部が前記第２のタッチ操作を検出した場合に、第２の操作情報を前記第１の表示装置に出力するとともに、前記第２の入力操作座標を前記情報処理装置に出力する第２の制御部と、を有し、前記第１の制御部は、前記第１の操作検出部が前記第１のタッチ操作を連続して検出した後に前記第１のタッチ操作を検出しなくなった場合であり、かつ、前記第１の操作検出部が前記第１のタッチ操作を最後に検出した際の前記第１の入力操作座標である第１の最後の入力操作座標が予め定められた第１の特定操作領域にある場合に、前記第１の操作検出部が前記タッチ操作を検出しなくても前記第１の最後の入力操作座標を前記情報処理装置に連続して出力する、第１の連続出力動作を行い、前記第２の操作情報を取得した場合に、又は、前記第１の操作検出部が前記第１のタッチ操作を検出した場合に、前記第１の連続出力動作を停止する。
【００１１】
上記目的を達成するため、本発明における出力方法は、タッチパネルがタッチ操作される工程と、前記タッチ操作を検出する工程と、前記タッチ操作に基づいて、前記タッチパネルの入力操作座標を取得する工程と、前記タッチ操作を検出した場合に、前記入力操作座標を出力する工程と、前記タッチ操作を連続して検出した後に前記タッチ操作を検出しなくなった場合であり、かつ、前記タッチ操作を最後に検出した際の前記入力操作座標である最後の入力操作座標が予め定められた特定操作領域にある場合に、前記タッチ操作を検出しなくても前記最後の入力操作座標を連続して出力する工程と、を有する。
【発明の効果】
【００１２】
本発明によれば、タッチパネルを備えた表示装置を複数配置した表示システムにおいて、複数の表示装置を横断するようなタッチ操作における不都合を解消し、快適なタッチ操作を提供することができる。
【図面の簡単な説明】
【００１３】
【図１】本発明の第１実施形態に係る表示装置のブロック図である。
【図２】本発明の第１実施形態に係る表示装置におけるタッチパネルの構成例を示す図である。
【図３】本発明の第１実施形態に係る表示装置における、出力方法のフローチャートである。
【図４】本発明の第２実施形態に係る表示システムのブロック図である。
【図５】本発明の第２実施形態に係る表示システムにおけるタッチパネルの構成例を示す図である。
【図６】本発明の第２実施形態に係る表示システムにおける、出力方法のフローチャートである。
【図７】本発明の表示システムの動作例を示す図である。
【発明を実施するための形態】
【００１４】
以下、本発明の実施形態について図面を用いて説明する。
【００１５】
＜第１実施形態＞
まず、本発明の第１実施形態に係る表示装置１０のブロック図を図１に示す。なお、図１には、情報処理装置２０を併せて示している。
【００１６】
表示装置１０は、表示パネル１１、画像処理部１２、入力部１３、タッチパネル１４、操作検出部１５、座標取得部１６、制御部１７を備える。
【００１７】
表示パネル１１は、画像処理部１２が出力する信号に基づいた画像を表示する。表示パネル１１は、例えば、液晶パネル、有機ＥＬ（Ｅｌｅｃｔｒｏ  Ｌｕｍｉｎｅｓｃｅｎｃｅ）パネル、プラズマディスプレイパネル等である。
【００１８】
画像処理部１２は、入力部１３が受信した画像信号に基づいて、表示パネル１１に出力する信号を生成する。具体的には、画像処理部１２は、受信した画像信号に基づく画像について、例えば、色等の画質調整、解像度変換、他の画像の合成等の画像処理を行う。そして、画像処理部１２は、画像処理を行った画像について、表示パネル１１に出力する信号を生成する。
【００１９】
入力部１３は、表示装置１０の外から画像信号を受信する。図１は、入力部１３が、情報処置装置２０から画像信号を受信する例を示している。
【００２０】
タッチパネル１４は、タッチ操作されると、タッチ操作に応じた信号を生成する。タッチパネル１４の方式としては、光学式、静電式、感圧式等のいずれの方式を用いてもよい。タッチパネル１４は、表示パネル１１の近傍にそれぞれの面が平行になるように配置する。タッチパネル１４の大部分は透明であり、タッチパネル１４を通して表示パネル１１に表示された画像を見ることができる。
【００２１】
操作検出部１５は、タッチパネル１４から信号を受け取り、タッチパネル１４がタッチ操作されたか否かを検出する。そして、操作検出部１５は、検出結果に基づいた操作検出信号を生成する。操作検出信号は、例えば、タッチ操作された場合は「真」とし、タッチ操作されていない場合は「偽」とする。あるいは、操作検出信号は、タッチ操作された場合はロー（Ｌｏｗ）とし、タッチ操作されない場合はハイ（Ｈｉｇｈ）とする。
【００２２】
座標取得部１６は、タッチパネル１４から信号を受け取り、タッチパネル１４においてタッチ操作された位置に相当する入力操作座標を取得する。この入力操作座標は、タッチパネル１４の面における座標である。座標取得部１６は、所定の周期（以下、サンプリング周期と称する）毎に、入力操作座標を取得する。快適なタッチ操作を実現するために、サンプリング周期は、表示パネル１１の表示のフレームレート（例えば６０ｆｐｓ（ｆｒａｍｅ  ｐｅｒ  ｓｅｃｏｎｄ））の逆数に相当する時間（例えば１６．７ｍｓ）以下であることが望ましい。
【００２３】
制御部１７は、操作検出部１５から操作検出信号を取得するとともに、座標取得部１６から入力操作座標を取得する。制御部１７は、操作検出部１５がタッチ操作を検出した場合、例えば、操作検出信号が「真」である場合に、入力操作座標を情報処理装置２０に出力する。上述のように、座標取得部１６は、サンプリング周期毎に、入力操作座標を取得する。このため、制御部１７は、タッチ操作を検出したか否かをサンプリング周期毎に判定し、タッチ操作を検出したと判定した場合に、入力操作座標を情報処理装置２０に出力することになる。
【００２４】
次に、本発明の第１実施形態に係る表示装置１０におけるタッチパネル１４の構成例を図２に示す。
【００２５】
表示装置１０は、他の表示装置１０’に隣接して配置される。タッチパネル１４には、特定操作領域１４Ａを設ける。この特定操作領域１４Ａは、タッチパネル１４において、少なくとも他の表示装置１０’の側に設けることが望ましい。ただし、これに限定されることはなく、例えば、特定操作領域１４Ａは、タッチパネル１４の周縁部全体に設けてもよい。また、特定操作領域１４Ａは、利用者によりＯＳＤ（Ｏｎ  Ｓｃｒｅｅｎ  Ｄｉｓｐｌａｙ）等で任意に設定できるものとしてもよい。
【００２６】
次に、本発明の第１実施形態に係る表示装置１０における、出力方法のフローチャートを図３に示す。
【００２７】
まず、ｎを初期値に設定する（ステップＳ３１）。ｎは、本フローチャートにおいて便宜的に使用する変数である。
【００２８】
そして、ｎを１増加させる（ステップＳ３２）。このＳ３２は、原則として、後述の動作フローを含め、サンプリング周期毎に行う。その結果、ｎは、サンプリング周期毎に更新する変数となる。
【００２９】
次に、（ｎにおいて）タッチ操作を検出したか否かを判定する（ステップＳ３３）。具体的には、操作検出部１５は、タッチパネル１４から受け取った信号に基づいて、タッチ操作されたか否かを検出し、操作検出信号を生成する。そして、制御部１７は、操作検出部１５から受け取った操作検出信号に基づいて、タッチ操作を検出したか否かを判定する。
【００３０】
（ｎにおいて）タッチ操作を検出した場合には（ステップＳ３３−ＹＥＳ）、情報処理装置２０に（ｎにおける）入力操作座標を出力する（ステップＳ３４）。具体的には、制御部１７は、座標取得部１６から受け取った入力操作座標を情報処理装置２０に出力する。
【００３１】
また、（ｎにおいて）タッチ操作を検出したこと、及び（ｎにおける）入力操作座標を記憶する（ステップＳ３５）。具体的には、制御部１７は、不図示の記憶部に、タッチ操作を検出したこと、及び入力操作座標を記憶させる。不図示の記憶部は、例えば、ＲＡＭ（Ｒａｎｄｏｍ  Ａｃｃｅｓｓ  Ｍｅｍｏｒｙ）である。
【００３２】
一方、（ｎにおいて）タッチ操作を検出しなかった場合には（ステップＳ３３−ＮＯ）、（ｎにおいて）タッチ操作を検出しなかったことを記憶する（ステップＳ３６）。具体的には、制御部１７は、不図示の記憶部に、タッチ操作を検出しなかったことを記憶させる。
【００３３】
次に、ｎ−２及びｎ−１においてタッチ操作を連続して検出したか否かを判定する（ステップＳ３７）。具体的には、制御部１７は、不図示の記憶部を参照し、ｎ−２及びｎ−１においてタッチ操作を検出したことを記憶しているか否かを判定する。なお、タッチ操作を連続して検出するとは、タッチ操作を検出した後、サンプリング周期を経過した時に再びタッチ操作を検出することをいう。
【００３４】
ｎ−２及びｎ−１においてタッチ操作を連続して検出しなかった場合には（ステップＳ３７−ＮＯ）、再度Ｓ３２を行う。
【００３５】
ｎ−２及びｎ−１においてタッチ操作を連続して検出した場合には（ステップＳ３７−ＹＥＳ）、ｎ−１における入力操作座標が特定操作領域１４Ａにあるか否かを判定する（ステップＳ３８）。具体的には、制御部１７は、ｎ−１における入力操作座標が特定操作領域１４Ａにあるか否かを判定する。Ｓ３８において、ｎ−１における入力操作座標は、最後の入力操作座標である。最後の入力操作座標とは、タッチ操作を検出した後にタッチ操作を検出しなくなった場合において、タッチ操作を最後に検出した際の入力操作座標をいう。
【００３６】
ｎ−１における入力操作座標が特定操作領域１４Ａにあると判定されない場合には（ステップＳ３８−ＮＯ）、再度Ｓ３２を行う。
【００３７】
ｎ−１における入力操作座標が特定操作領域１４Ａにあると判定される場合には（ステップＳ３８−ＹＥＳ）、最後の入力操作座標の連続出力動作を開始する（ステップＳ３９）。具体的には、制御部１７は、タッチパネル１４がタッチ操作されていなくても、ｎ−１における入力操作座標を情報処理装置２０に連続して出力する。Ｓ３９における最後の入力操作座標は、Ｓ３８と同様に、ｎ−１における入力操作座標である。なお、連続して出力するとは、タッチパネル１４がタッチ操作された状態で保持されている場合に入力操作座標を出力することと同様に出力することをいう。または、連続して出力するとは、例えば、制御部１７がサンプリング周期毎に入力操作座標を出力する場合には、入力操作座標を出力した後、サンプリング周期を経過した時に再び入力操作座標を出力することをいう。
【００３８】
本発明の第１実施形態に係る表示装置は、上述の動作フローに基づき、最後の入力操作座標の連続出力動作を行う。このため、複数の表示装置を横断するようなタッチ操作においても、擬似的に連続的な操作を行えることとなる。その結果、操作上の不都合が解消され、快適なタッチ操作を提供することができる。
【００３９】
また、図２に示しているように、特定操作領域１４Ａは、タッチパネル１４において、他の表示装置１０’の側に設けられている。このため、表示装置１０から他の表示装置１０’に向けて、表示装置を横断するようなタッチ操作において、上述のように擬似的に連続的な操作を行えることとなる。その結果、操作上の不都合が解消され、快適なタッチ操作を提供することができる。
【００４０】
＜第２実施形態＞
本発明の第２実施形態に係る表示システム１のブロック図を図４に示す。
【００４１】
表示システム１は、表示装置（第１の表示装置）１００、表示装置（第２の表示装置）２００を備える。
【００４２】
表示装置１００は、表示パネル（第１の表示パネル）１１０、画像処理部（第１の画像処理部）１２０、入力部（第１の入力部）１３０、タッチパネル（第１のタッチパネル）１４０、操作検出部（第１の操作検出部）１５０、座標取得部（第１の座標取得部）１６０、制御部（第１の制御部）１７０を備える。
【００４３】
また、表示装置２００は、表示パネル（第２の表示パネル）２１０、画像処理部（第２の画像処理部）２２０、入力部（第２の入力部）２３０、タッチパネル（第２のタッチパネル）２４０、操作検出部（第２の操作検出部）２５０、座標取得部（第２の座標取得部）２６０、制御部（第２の制御部）２７０を備える。
【００４４】
表示パネル１１０及び表示パネル２１０は、第１実施形態に係る表示装置１０の表示パネル１１と同様のものである。すなわち、表示パネル１１０は、画像処理部１２０が出力する信号に基づいた画像を表示する。また、表示パネル２１０は、画像処理部２２０が出力する信号に基づいた画像を表示する。
【００４５】
画像処理部１２０及び画像処理部２２０は、第１実施形態に係る表示装置１０の画像処理部１２と同様のものである。すなわち、画像処理部１２０は、入力部１３０が受信した画像信号に基づいて、表示パネル１１０に出力する信号を生成する。また、画像処理部２２０は、入力部２３０が受信した画像信号に基づいて、表示パネル２１０に出力する信号を生成する。
【００４６】
入力部１３０及び入力部２３０は、第１実施形態に係る表示装置１０の入力部１３と同様のものである。すなわち、入力部１３０は、表示装置１００の外から画像信号を受信する。また、入力部２３０は、表示装置２００の外から画像信号を受信する。
【００４７】
タッチパネル１４０及びタッチパネル２４０は、第１実施形態に係る表示装置１０のタッチパネル１４と同様のものである。すなわち、タッチパネル１４０は、タッチ操作されると、タッチ操作に応じた信号を生成する。また、タッチパネル２４０は、タッチ操作されると、タッチ操作に応じた信号を生成する。
【００４８】
操作検出部１５０及び操作検出部２５０は、第１実施形態に係る表示装置１０の操作検出部１５と同様のものである。すなわち、操作検出部１５０は、タッチパネル１４０から信号を受け取り、タッチパネル１４０がタッチ操作されたか否かを検出する。また、操作検出部２５０は、タッチパネル２４０から信号を受け取り、タッチパネル２４０がタッチ操作されたか否かを検出する。
【００４９】
座標取得部１６０及び座標取得部２６０は、第１実施形態に係る表示装置１０の座標取得部１６と同様のものである。すなわち、座標取得部１６０は、タッチパネル１４０から信号を受け取り、タッチパネル１４０においてタッチ操作された位置に相当する入力操作座標（第１の入力操作座標）を取得する。また、座標取得部２６０は、タッチパネル２４０から信号を受け取り、タッチパネル２４０においてタッチ操作された位置に相当する入力操作座標（第２の入力操作座標）を取得する。
【００５０】
制御部１７０は、操作検出部１５０から操作検出信号を受信するとともに、座標取得部１６０から入力操作座標（第１の入力操作座標）を取得する。制御部１７０は、タッチ操作（第１のタッチ操作）を検出したか否かをサンプリング周期毎に判定し、タッチ操作（第１のタッチ操作）を検出した場合に、操作情報（第１の操作情報）を生成するとともに、入力操作座標（第１の入力操作座標）を情報処理装置３００に出力する。さらに、制御部１７０は、タッチ操作（第１のタッチ操作）を検出した場合は、操作情報（第１の操作情報）を生成する。
【００５１】
制御部２７０は、操作検出部２５０から操作検出信号を受信するとともに、座標取得部２６０から入力操作座標（第２の入力操作座標）を取得する。制御部２７０は、タッチ操作（第２のタッチ操作）を検出したか否かをサンプリング周期毎に判定し、タッチ操作（第２のタッチ操作）を検出した場合に、操作情報（第２の操作情報）を生成するとともに、入力操作座標（第２の入力操作座標）を情報処理装置３００に出力する。さらに、制御部２７０は、タッチ操作（第２のタッチ操作）を検出した場合は、操作情報（第２の操作情報）を生成する。
【００５２】
さらに、制御部１７０は、制御部２７０の生成した操作情報（第２の操作情報）を取得することができる。この取得は、制御部１７０が、表示装置２００のメモリを参照するか、又は制御部２７０から通知信号（第２の通知信号）を受信する等により行う。また、制御部２７０は、制御部１７０の生成した操作情報（第１の操作情報）を取得することができる。この取得は、制御部２７０が、表示装置１００のメモリを参照するか、又は制御部１７０から通知信号（第１の通知信号）を受信する等により行う。
【００５３】
次に、本発明の第２実施形態に係る表示システム１におけるタッチパネル１４０及びタッチパネル２４０の構成例を図５に示す。
【００５４】
表示装置１００は、表示装置２００に隣接して配置される。
【００５５】
タッチパネル１４０（第１のタッチパネル）に特定操作領域１４１（第１の特定操作領域）を設ける。この特定操作領域１４１は、タッチパネル１４０において、少なくとも表示装置２００の側に設けることが望ましい。ただし、これらに限定されることはなく、例えば、特定操作領域１４１は、タッチパネル１４０の周縁部全体に設けてもよい。また、特定操作領域１４１は、利用者によりＯＳＤ等で任意に設定できるものとしてもよい。
【００５６】
また、タッチパネル２４０に特定操作領域２４１（第２の特定操作領域）を設ける。この特定操作領域２４１は、タッチパネル２４０において、少なくとも表示装置１００の側に設けることが望ましい。ただし、これらに限定されることはなく、例えば、特定操作領域２４１は、タッチパネル２４０の周縁部全体に設けてもよい。また、特定操作領域２４１は、利用者によりＯＳＤ等で任意に設定できるものとしてもよい。
【００５７】
次に、本発明の第２実施形態に係る表示システム１を構成する表示装置１００及び表示装置２００における、出力方法のフローチャートを図６に示す。このフローチャートは、表示装置１００及び表示装置２００のいずれにも同様に適用されるものである。以下では、表示装置１００について説明する。表示装置２００についての説明は、表示装置１００についての説明と同様であるため、省略する。
【００５８】
まず、ｎを初期値に設定する（ステップＳ６０１）。ｎは、本フローチャートにおいて便宜的に使用する変数である。
【００５９】
そして、ｎを１増加させる（ステップＳ６０２）。このＳ６０２は、原則として、後述の動作フローを含め、サンプリング周期毎に行う。その結果、ｎは、サンプリング周期毎に更新する変数となる。
【００６０】
次に、（ｎにおいて）タッチ操作を検出したか否かを判定する（ステップＳ６０３）。具体的には、操作検出部１５０は、タッチパネル１４０から受け取った信号に基づいて、タッチ操作（第１のタッチ操作）されたか否かを検出し、操作検出信号（第１の操作検出信号）を生成する。そして、制御部１７０は、操作検出部１５０から受け取った操作検出信号（第１の操作検出信号）に基づいて、タッチ操作（第１のタッチ操作）を検出したか否かを判定する。
【００６１】
（ｎにおいて）タッチ操作を検出した場合は（ステップＳ６０３−ＹＥＳ）、（ｎにおける）操作情報を生成し（ステップＳ６０４）、情報処理装置３００に（ｎにおける）入力操作座標を出力する（ステップＳ６０５）。具体的には、制御部１７０は、操作情報（第１の操作情報）を生成し、座標取得部１６０から受け取った入力操作座標（第１の入力操作座標）を情報処理装置３００に出力する。
【００６２】
また、（ｎにおいて）タッチ操作を検出したこと、及び（ｎにおける）入力操作座標を記憶する（ステップＳ６０６）。具体的には、制御部１７０は、不図示の記憶部に、タッチ操作（第１のタッチ操作）を検出したこと、及び入力操作座標（第１の入力操作座標）を記憶させる。不図示の記憶部は、例えば、ＲＡＭである。
【００６３】
一方、（ｎにおいて）タッチ操作を検出しなかった場合には（ステップＳ６０３−ＮＯ）、（ｎにおいて）タッチ操作を検出しなかったことを記憶する（ステップＳ６０７）。具体的には、制御部１７０は、不図示の記憶部に、タッチ操作（第１のタッチ操作）を検出しなかったことを記憶させる。
【００６４】
次に、ｎ−２及びｎ−１においてタッチ操作を連続して検出したか否かを判定する（ステップＳ６０８）。具体的には、制御部１７０は、不図示の記憶部を参照し、ｎ−２及びｎ−１においてタッチ操作（第１のタッチ操作）を検出したことを記憶しているか否かを判定する。なお、タッチ操作を連続して検出するとは、タッチ操作を検出した後、サンプリング周期を経過した時に再びタッチ操作を検出することをいう。
【００６５】
ｎ−２及びｎ−１においてタッチ操作を連続して検出しなかった場合には（ステップＳ６０８−ＮＯ）、再度Ｓ６０２を行う。
【００６６】
ｎ−２及びｎ−１においてタッチ操作を連続して検出した場合には（ステップＳ６０８−ＹＥＳ）、ｎ−１における入力操作座標が特定操作領域１４１にあるか否かを判定する（ステップＳ６０９）。具体的には、制御部１７０は、ｎ−１における入力操作座標（第１の入力操作座標）が特定操作領域１４１（第１の特定操作領域）にあるか否かを判定する。Ｓ６０９において、ｎ−１における入力操作座標（第１の入力操作座標）は、最後の入力操作座標（第１の最後の入力操作座標）である。最後の入力操作座標とは、タッチ操作を検出した後にタッチ操作を検出しなくなった場合において、タッチ操作を最後に検出した際の入力操作座標をいう。
【００６７】
ｎ−１における入力操作座標が特定操作領域１４１にあると判定されない場合には（ステップＳ６０９−ＮＯ）、再度Ｓ６０２を行う。
【００６８】
ｎ−１における入力操作座標が特定操作領域１４１にあると判定される場合には（ステップＳ６０９−ＹＥＳ）、最後の入力操作座標の連続出力動作を開始する（ステップＳ６１０）。具体的には、制御部１７０は、タッチパネル１４０がタッチ操作（第１のタッチ操作）されていなくても、ｎ−１における入力操作座標（第１の入力操作座標）を情報処理装置３００に連続して出力する。Ｓ６１０における最後の入力操作座標（第１の最後の入力操作座標）は、Ｓ６０９と同様に、ｎ−１における入力操作座標（第１の入力操作座標）である。なお、連続して出力するとは、タッチパネル１４０がタッチ操作された状態で保持されている場合に入力操作座標を出力することと同様に出力することをいう。または、連続して出力するとは、例えば、制御部１７０がサンプリング周期毎に入力操作座標を出力する場合には、入力操作座標を出力した後、サンプリング周期を経過した時に再び入力操作座標を出力することをいう。
【００６９】
次に、他の表示装置の操作情報を取得したか、又は自表示装置のタッチ操作を検出したか、を判定する（ステップＳ６１１）。具体的には、制御部１７０は、表示装置２００の操作情報（第２の操作情報）を取得したか否かを判定する。この取得は、制御部１７０が、表示装置２００のメモリを参照するか、又は表示装置２００から通知信号（第２の通知信号）を受信する等により行う。また、自表示装置である表示装置１００の操作検出部１５０が、タッチパネル１４０から受け取った信号に基づいて、タッチ操作（第１のタッチ操作）されたか否かを検出し、操作検出信号を生成する。そして、制御部１７０は、操作検出部１５０から受け取った操作検出信号に基づいて、タッチ操作（第１のタッチ操作）を検出したか否かを判定する。
【００７０】
他の表示装置の操作情報を取得した、又は自表示装置のタッチ操作を検出した、と判定されない場合（ステップＳ６１１−ＮＯ）、再度Ｓ６１１を行う。つまり、他の表示装置の操作情報を取得せず、自表示装置のタッチ操作を検出しない場合（ステップＳ６１１−ＮＯ）、再度Ｓ６１１を行うこととなる。再度Ｓ６１１を行う場合は、例えば、前回行ったＳ６１１からサンプリング周期を経過する際に、再度のＳ６１１を行う。
【００７１】
他の表示装置の操作情報を取得した、又は自表示装置のタッチ操作を検出した、と判定される場合（ステップＳ６１１−ＹＥＳ）、最後の入力操作座標の連続出力動作を停止する（ステップＳ６１２）。具体的には、制御部１７０は、Ｓ６１０で開始した連続出力動作（第１の連続出力動作）を停止する。
【００７２】
そして、再度Ｓ６０１を行う。
【００７３】
最後に、本発明の第２実施形態に係る表示システム１の動作例について、図７を用いて説明する。
【００７４】
図７に示した表示システム１の構成は、図５と同様である。
【００７５】
本動作例においては、表示装置１００及び表示装置２００は、情報処理装置３００からそれぞれ異なる画像信号を受信し、受信した画像信号に基づく画像を表示している。また、本動作例においては、移動対象物Ｃが表示装置１００又は表示装置２００に表示されているものとする。移動対象物Ｃは、例えば、ファイルやフォルダ、アプリケーション等のアイコンである。本動作例の初期状態としては、図７（ａ）に示しているように、移動対象物Ｃが表示装置１００の位置１８１に表示されているものとする。そして、本動作例においては、表示装置１００に表示された移動対象物Ｃを、タッチ操作によって表示装置２００に移動させるものとする。
【００７６】
まず、図７（ａ）において、ユーザの指Ｆがタッチパネル１４０のうち位置１８１に相当する箇所に触れる。すると、表示装置１００はタッチ操作を検出する（ステップＳ６０３−ＹＥＳ）。そして、表示装置１００は、位置１８１に相当する入力操作座標を情報処理装置３００に出力する（ステップＳ６０５）。指Ｆは、タッチパネル１４０に触れたままである。このため、Ｓ６０２からＳ６０６までのステップを少なくとも２回以上行うことになる。情報処理装置３００は、表示装置１００が出力する入力操作座標に基づいて、位置１８１に表示している移動対象物Ｃがドラッグされることを認識する。指Ｆは、位置１８１から位置１８２まで、タッチパネル１４０に触れたまま移動する。この間、Ｓ６０２からＳ６０６までのステップが繰り返し行われる。情報処理装置３００は、移動対象物Ｃがドラッグされることを認識しているため、受け取る入力操作座標に応じて移動対象物Ｃを移動させた画像に基づいた画像信号を生成する。そして、生成した画像信号を表示装置１００及び表示装置２００に送信し、表示装置１００及び表示装置２００は、受信した画像信号に基づいた画像を表示する。
【００７７】
指Ｆがタッチパネル１４０のうち位置１８２に相当する箇所に触れている状態を図７（ｂ）に示す。この状態では、表示装置１００は位置１８２に相当する入力操作座標を情報処理装置３００に出力している（ステップＳ６０５）。図７（ｂ）に示しているように、移動対象物Ｃは、位置１８１から位置１８２までドラッグされた結果、位置１８２に表示されている。この位置１８２は、表示装置１００の特定操作領域１４１（第１の特定操作領域）にある。次に、図示していないが、指Ｆはタッチパネル１４０から離れ、表示装置１００はタッチ操作を検出しなくなる（ステップＳ６０３−ＮＯ）。この場合、最後の入力操作座標（第１の最後の入力操作座標）は、位置１８２に相当する入力操作座標となる。このため、表示装置１００は、最後の入力操作座標（第１の最後の入力操作座標）が特定操作領域（第１の特定操作領域）にあると判定する（ステップＳ６０９−ＹＥＳ）。すると、表示装置１００は、最後の入力操作座標の連続出力動作（第１の連続出力動作）を開始する（ステップＳ６１０）。すなわち、表示装置１００は、指Ｆがタッチパネル１４０に触れていなくても、位置１８２に相当する入力操作座標（第１の最後の入力操作座標）を情報処理装置３００に連続して出力することになる。
【００７８】
次に、図７（ｃ）に示すように、指Ｆはタッチパネル２４０のうち位置２８１に相当する箇所に触れる。位置２８１は、表示装置２００のタッチパネル２４０における任意の位置である。表示装置２００はタッチ操作を検出する（ステップＳ６０３−ＹＥＳ）。そして、表示装置２００は、表示装置２００の操作情報（第２の操作情報）を生成する（ステップＳ６０４）。表示装置１００は、表示装置２００のメモリを参照し、又は表示装置２００から操作情報（第２の操作情報）を受信することにより、表示装置２００の操作情報（第２の操作情報）を取得する（ステップＳ６１１−ＹＥＳ）。すると、表示装置１００は、最後の入力操作座標の連続出力動作（第１の連続出力動作）を停止する（ステップＳ６１２）。この時点で、表示装置１００は、最後の入力操作座標（第１の最後の入力操作座標）を情報処理装置３００に出力することはない。一方、表示装置２００は、位置２８１に相当する入力操作座標を情報処理装置３００に出力する（ステップＳ６０５）。この結果、情報処理装置３００は、移動対象物Ｃが位置２８１で引き続きドラッグされていることを認識する。その結果、図７（ｃ）のように、移動対象物Ｃは、位置２８１に表示されることになる。
【００７９】
本動作例においては、指Ｆは、位置１８２でタッチパネル１４０から離れ（図７（ｂ））、次に位置２８１でタッチパネル２４０に触れる（図７（ｃ））。ここで、図７（ｂ）と図７（ｃ）の間において、指Ｆがタッチパネル１４０及びタッチパネル２４０のいずれにも触れていない期間が生じる。しかし、本動作例においては、この期間に連続出力動作（第１の連続出力動作）を行う。このため、タッチ操作が連続して行われていることを擬似的に実現している。その結果、上述の動作により、位置１８１から位置１８２まで行っていた移動対象物Ｃのドラッグを、位置２８１において再開することができる。したがって、本発明によれば、表示装置１００及び表示装置２００を横断するようなタッチ操作を擬似的に実現し、快適な操作を提供することができる。
【００８０】
なお、図７（ｃ）のように、指Ｆが位置２８１でタッチパネル２４０に触れた際に、連続出力動作（第1の連続出力動作）を停止した上で、情報処理装置３００に出力する入力操作座標を擬似的に生成し、出力してもよい。例えば、指Ｆが位置２８１でタッチパネル２４０に触れた際に、先に、位置１８２と位置２８１の間の位置に相当する入力操作座標を情報処理装置３００に出力する。次に、位置２８１により近い位置に相当する入力操作座標を情報処理装置３００に出力する。そして、最後に、位置２８１に相当する入力操作座標を情報処理装置３００に出力する、としてもよい。このような動作によって、違和感がなく、より快適な操作を提供することができる。
【００８１】
また、図７（ａ）〜（ｃ）に示しているように、特定操作領域１４１を、タッチパネル１４０において、表示装置２００の側に設けている。このため、表示装置１００から表示装置２００へ横断するようなタッチ操作を擬似的に実現し、快適な操作を提供することができる。
【００８２】
これまで、表示装置が２台の場合について説明したが、これに限られない。例えば、表示装置が３台以上の場合についても、上記の動作と同様に動作させることができる。なお、表示装置が３台以上の場合には、いずれかの表示装置がタッチ操作されたことを示す操作情報を、他の表示装置が取得できるようにする必要がある。そのために、例えば、それぞれの表示装置の有する制御部をデイジーチェーン接続する。そして、いずれかの表示装置が操作情報を生成した場合、その表示装置は隣接する表示装置に操作情報を出力する。さらに、操作情報を受け取った表示装置は、さらに隣接する表示装置にその操作情報を出力する。このように動作させれば、連続出力動作を開始した表示装置は、他の表示装置の操作情報を取得し、その連続出力動作を停止することができる。その結果、表示装置が２台の場合における上述の動作と同様に、快適な操作を提供することができる。
【００８３】
以上、本発明の実施形態について提示し、詳細に説明したが、添付の特許請求の範囲の趣旨又は範囲から逸脱しない限り、さまざまな変更及び修正が可能である。
【符号の説明】
【００８４】
１０    表示装置
１１    表示パネル
１２    画像処理部
１３    入力部
１４    タッチパネル
１５    操作検出部
１６    座標取得部
１７    制御部
２０    情報処理装置
１    表示システム
１００    表示装置（第１の表示装置）
１１０    表示パネル（第１の表示パネル）
１２０    画像処理部（第１の画像処理部）
１３０    入力部（第１の入力部）
１４０    タッチパネル（第１のタッチパネル）
１５０    操作検出部（第１の操作検出部）
１６０    座標取得部（第１の座標取得部）
１７０    制御部（第１の制御部）
２００    表示装置（第２の表示装置）
２１０    表示パネル（第２の表示パネル）
２２０    画像処理部（第２の画像処理部）
２３０    入力部（第２の入力部）
２４０    タッチパネル（第２のタッチパネル）
２５０    操作検出部（第２の操作検出部）
２６０    座標取得部（第２の座標取得部）
２７０    制御部（第２の制御部）
３００    情報処理装置
【図１】
2016081386.tif 000003
【図２】
2016081386.tif 000004
【図３】
2016081386.tif 000005
【図４】
2016081386.tif 000006
【図５】
2016081386.tif 000007
【図６】
2016081386.tif 000008
【図７】
2016081386.tif 000009